(57)【要約】 人体に対する安全性を担保しながら殺菌性が向上された殺菌水の製造時の安全性を向上させる殺菌水の製造方法を提供すること。  水をＰＨ４以上６未満に酸性化させる第１工程と、第１工程により酸性化された水に対して、濃度５０ｐｐｍ以上７０ｐｐｍ以下となるように次亜塩素酸ナトリウムを混入させる第２工程とを有する殺菌水の製造方法。
2014050385.tif 000002
【特許請求の範囲】
【請求項１】
次亜塩素酸ナトリウムの濃度が５０ｐｐｍ以上７０ｐｐｍ以下であり、ＰＨが５以上の酸性であることを特徴とする殺菌水。
【請求項２】
請求項１に記載の殺菌水において、
前記ＰＨは、塩酸が含有されることで調整されていることを特徴とする殺菌水。
【請求項３】
水をＰＨ４以上６未満に酸性化させる第１工程と、
前記第１工程により酸性化された水に対して、濃度５０ｐｐｍ以上７０ｐｐｍ以下となるように次亜塩素酸ナトリウムを混入させる第２工程と、
を有することを特徴とする殺菌水の製造方法。
【請求項４】
請求項３記載の殺菌水の製造方法において、
前記第１工程は、水をＰＨ５以上に酸性化させることを特徴とする殺菌水の製造方法。
【請求項５】
請求項３または４に記載の殺菌水の製造方法において、
前記第１工程は、塩酸を混入することにより酸性化させることを特徴とする殺菌水の製造方法。
【請求項６】
所定量の水に混入されたときに、前記所定量の水をＰＨ５以上に酸性化させることができる０．７％以上１．５％以下の濃度の塩酸水溶液が封入された第１容器と、
前記所定量の水に混入されたときに、前記所定量の水を次亜塩素酸ナトリウム濃度５０ｐｐｍ以上７０ｐｐｍ以下とすることができる１％以上２％以下の濃度の次亜塩素酸ナトリウム水溶液が封入された第２容器と、
を有し、
前記第１容器と前記第２容器とには、前記第１容器に封入された前記酸性液を前記第２容器に封入された前記次亜塩素酸ナトリウム水溶液よりも先に、前記所定量の水に混入すべき旨の表示が付されている、
ことを特徴とする殺菌水調製用原料容器。
【請求項７】
請求項６に記載の殺菌水調製用原料容器において、
前記第１容器には、１％以上１．１％以下の濃度の酸性液が３．５ｃｃ以上４．５ｃｃ以下封入され、
前記第２容器には、１．３％以上１．７％以下の濃度の前記次亜塩素酸ナトリウム水溶液が３．５ｃｃ以上４．５ｃｃ以下封入されている、
ことを特徴とする殺菌水調製用原料容器。
【請求項８】
請求項６に記載の殺菌水調製用原料容器において、
前記第１容器には、１％以上１．１％以下の濃度の酸性液が１．７ｃｃ以上２．３ｃｃ以下封入され、
前記第２容器には、１．３％以上１．７％以下の濃度の前記次亜塩素酸ナトリウム水溶液が１．７ｃｃ以上２．３ｃｃ以下封入されている、
ことを特徴とする殺菌水調製用原料容器。
【請求項９】
請求項６に記載の殺菌水調製用原料容器において、
前記第１容器には、１％以上１．１％以下の濃度の酸性液が１．２ｃｃ以上１．６ｃｃ以下封入され、
前記第２容器には、１．３％以上１．７％以下の濃度の前記次亜塩素酸ナトリウム水溶液が１．２ｃｃ以上１．６ｃｃ以下封入されている、
ことを特徴とする殺菌水調製用原料容器。
【請求項１０】
請求項６に記載の殺菌水調製用原料容器において、
前記第１容器には、１％以上１．１％以下の濃度の酸性液が７ｃｃ以上９ｃｃ以下封入され、
前記第２容器には、１．３％以上１．７％以下の濃度の前記次亜塩素酸ナトリウム水溶液が７ｃｃ以上９ｃｃ以下封入されている、
ことを特徴とする殺菌水調製用原料容器。
【請求項１１】
請求項６から１０のいずれか１項に記載の殺菌水調製用原料容器において、
前記第１容器および前記第２容器は、くび付きボトルのくび部の先端に形成される開口部の周囲に形成される螺子部に螺子着することができ、螺子着された状態で収容部に前記くび付きボトル内に連通する開口部が形成される構成を有する収容部付きボトルキャップであることを特徴とする殺菌水調製用原料容器。
【発明の詳細な説明】
【技術分野】
【０００１】
本発明は、殺菌水、殺菌水の製造方法および殺菌水調製用原料容器
【背景技術】
【０００２】
従来より、たとえば、特許文献１に開示されるように、次亜塩素酸ナトリウムを含む水溶液を塩酸でＰＨ（ペーハー）調整することで、使用時に安定した殺菌力を有するようにした殺菌水が知られている。
【先行技術文献】
【特許文献】
【０００３】
【特許文献１】特開２００９−２１９９８４号公報
【発明の開示】
【発明が解決しようとする課題】
【０００４】
しかしながら、殺菌水における次亜塩素酸ナトリウムは人体に対する安全性を担保しながら殺菌性を向上させることが好ましい。また、次亜塩素酸ナトリウムは強アルカリであり、製造時においては人体への付着の危険等、その取り扱いには注意が必要である。【０００５】
そこで、本発明は、人体に対する安全性を担保しながら殺菌性が向上された殺菌水の提供と、製造時の安全性を向上させる殺菌水の製造方法と、殺菌水を安全に調製することができる殺菌水調製用原料容器を提供することを目的とする。
【課題を解決するための手段】
【０００６】
上述の課題を解決するため、殺菌水は、次亜塩素酸ナトリウムの濃度が５０ｐｐｍ以上７０ｐｐｍ以下であり、ＰＨが５以上の酸性とする。【０００７】
上記発明に加えて、殺菌水のＰＨは、塩酸が含有されることで調整されていることとする。【０００８】
上述の課題を解決するため、殺菌水の製造方法は、水をＰＨ４以上６未満に酸性化させる第１工程と、第１工程により酸性化された水に対して、濃度５０ｐｐｍ以上７０ｐｐｍ以下となるように次亜塩素酸ナトリウムを混入させる第２工程とを有することとする。【０００９】
上記発明に加えて、殺菌水の製造方法における第１工程は、水をＰＨ５以上に酸性化させることとする。【００１０】
上記発明に加えて、殺菌水の製造方法における第１工程は、塩酸を混入することにより酸性化させることとする。【００１１】
上述の課題を解決するため、所定量の水に混入されたときに、所定量の水をＰＨ５以上に酸性化させることができる０．７％以上１．５％以下の濃度の塩酸水溶液が封入された第１容器と、所定量の水に混入されたときに、所定量の水を次亜塩素酸ナトリウム濃度５０ｐｐｍ以上７０ｐｐｍ以下とすることができる１％以上２％以下の濃度の次亜塩素酸ナトリウム水溶液が封入された第２容器とを有し、第１容器と第２容器とには、第１容器に封入された酸性液を第２容器に封入された次亜塩素酸ナトリウム水溶液よりも先に、所定量の水に混入すべき旨の表示が付されていることとする。
【００１２】
上記発明に加えて、第１容器には、１％以上１．１％以下の濃度の酸性液が３．５ｃｃ以上４．５ｃｃ以下封入され、第２容器には、１．３％以上１．７％以下の濃度の次亜塩素酸ナトリウム水溶液が３．５ｃｃ以上４．５ｃｃ以下封入されていることとする。【００１３】
上記発明に加えて、第１容器には、１％以上１．１％以下の濃度の酸性液が１．７ｃｃ以上２．３ｃｃ以下封入され、第２容器には、１．３％以上１．７％以下の濃度の次亜塩素酸ナトリウム水溶液が１．７ｃｃ以上２．３ｃｃ以下封入されていることとする。【００１４】
上記発明に加えて、第１容器には、１％以上１．１％以下の濃度の酸性液が１．２ｃｃ以上１．６ｃｃ以下封入され、第２容器には、１．３％以上１．７％以下の濃度の次亜塩素酸ナトリウム水溶液が１．２ｃｃ以上１．６ｃｃ以下封入されていることとする。【００１５】
上記発明に加えて、第１容器には、１％以上１．１％以下の濃度の酸性液が７ｃｃ以上９ｃｃ以下封入され、第２容器には、１．３％以上１．７％以下の濃度の次亜塩素酸ナトリウム水溶液が７ｃｃ以上９ｃｃ以下封入されていることとする。【００１６】
上記発明に加えて、第１容器および第２容器は、くび付きボトルのくび部の先端に形成される開口部の周囲に形成される螺子部に螺子着することができ、螺子着された状態で収容部にくび付きボトル内に連通する開口部が形成される構成を有する収容部付きボトルキャップであることとする。
【発明の効果】
【００１７】
本発明によれば、殺菌力の安定性が保たれた殺菌水を提供することができ、また、製造時の安全性を向上させる殺菌水の製造方法を提供することができ、また、殺菌水を安全に調製することができる殺菌水調製用原料容器を提供することができる。
【図面の簡単な説明】
【００１８】
【図１】次亜塩素酸ナトリウムに塩酸を混入したときの塩素濃度の経時変化と、次亜塩素酸ナトリウムにホウ酸を混入したときの塩素濃度の経時変化とを示したものである。
【図２】殺菌水の製造方法を示す図である。
【図３】殺菌水調製用原料容器の構成を示す図である。
【図４】殺菌水調製用原料容器の構成の他の例を示す図である。
【図５】参考資料である。
【図６】参考資料である。
【図７】参考資料である。
【発明を実施するための形態】
【００１９】
（殺菌水について）
以下に、本発明の実施の形態に係る殺菌水について説明する。
【００２０】
本実施の形態にかかる殺菌水は、次亜塩素酸ナトリウムの濃度が５０ｐｐｍ以上７０ｐｐｍ以下であり、ＰＨ（Ｐｏｔｅｎｔｉａｌ
Ｈｙｄｒｏｇｅｎ  水素イオン濃度指数）が５以上の酸性である。次亜塩素酸ナトリウムの濃度を５０ｐｐｍ以上７０ｐｐｍ以下とすることにより、日常生活の中で殺菌水を使用するにあたり、細菌やウィルスに対する殺菌力の効果を奏すると共に、殺菌水が人体や衣類等に付着したときの危険性（肌荒れや、衣類・プラスチック製品等の腐蝕等）および塩素ガスの発生の危険性を極力抑えることができる。また、ＰＨを５以上の酸性とすることにより、次亜塩素酸ナトリウムのみの水溶液に比べて殺菌力を強めることができる。また、ＰＨを５以上とすることで、殺菌水が人体や衣類等に付着したときの危険性（肌荒れや、衣類等の腐蝕等）を極力抑えることができる。さらに、ＰＨを５以上とすることで、塩素ガスの発生を抑えることができる。
【００２１】
殺菌水の日常生活での使用としては、たとえば、殺菌水を手指や生活用品等に塗付させて行う手指や生活用品等の殺菌、加湿器等を用いて殺菌水を噴霧させることによる室内空気の殺菌等がある。殺菌水を次亜塩素酸ナトリウムの濃度を５０ｐｐｍ以上７０ｐｐｍ以下とし、かつ、ＰＨを５以上の酸性とすることで、日常生活で必要な殺菌効果を奏することができ、かつ、上述の危険が発生しないように安全性を確保することができる。
【００２２】
（殺菌水の他の例１）
他の殺菌水の例としては、ＰＨが５以上の酸性で、次亜塩素酸ナトリウムの濃度を５５ｐｐｍ以上６５ｐｐｍ以下としてもよい。殺菌水をかかる組成とすることで、ＰＨが５以上で、次亜塩素酸ナトリウムの濃度を５０ｐｐｍ以上７０ｐｐｍ以下とする場合に比べて、殺菌効果を維持しながら、塩素ガスの発生の危険性を抑制し易くなる。
【００２３】
（殺菌水の他の例２）
他の殺菌水の例としては、次亜塩素酸ナトリウムの濃度が５０ｐｐｍ以上７０ｐｐｍ以下であり、ＰＨを５．５以上６．５以下としてもよい。殺菌水をかかる組成とすることで、次亜塩素酸ナトリウムの濃度が５０ｐｐｍ以上７０ｐｐｍ以下で、ＰＨを５以上とする場合に比べて、殺菌効果を維持しながら、塩素ガスの発生の危険性を抑制し易くなる。
【００２４】
（殺菌水の他の例３）
他の殺菌水の例としては、次亜塩素酸ナトリウムの濃度が５５ｐｐｍ以上６５ｐｐｍ以下であり、ＰＨを５．５以上６．５以下としてもよい。殺菌水をかかる組成とすることで、ＰＨが５以上で、次亜塩素酸ナトリウムの濃度を５０ｐｐｍ以上７０ｐｐｍ以下とする場合に比べて、殺菌水の日常生活における使用に際して、殺菌効果と塩素ガスの発生抑制等の安全性の確保とのバランスをより好適なものとすることができる。
【００２５】
ＰＨの調整には、クエン酸、リンゴ酸、シュウ酸、酢酸、ホウ酸、硫酸、リン酸、塩酸等の種々の酸性物質を用いることができる。しかしながら、殺菌水を日常生活で使用することを考慮すれば、酸性物質は、食品衛生法で食品添加物として許可されているものが好ましい。なお、次亜塩素酸ナトリウムは有機物と混合されたときに分解が促進される。そのため、殺菌水のＰＨを調整するための酸性物質を有機物とすると、殺菌効果の経時低下が促進される虞がある。したがって、殺菌水のＰＨの調整には無機物の酸性物質が使用されることが好ましい。
【００２６】
なお、図１は、濃度９３ｐｐｍの次亜塩酸ナトリウム水溶液１０００ｃｃに、濃度２．０％の塩酸（希塩酸）を２．０ｃｃ混入したとき（実線）と、ホウ酸１０ｇを混入したとき（一点鎖線）と、２０ｇを混入したとき（二点鎖線）の、塩素濃度の経時変化を示すグラフである。
【００２７】
図１のグラフに示すように、殺菌水のＰＨ調整に塩酸が混入されている場合には、長期間に亘って塩素濃度が維持される。すなわち殺菌力が長期間に亘って維持される。一方、ホウ酸は無機物であるが、図１のグラフに示すように、塩酸に比べて塩素濃度の経時低下が速い。以上のように、酸性物質として塩酸を用いた場合には、塩素の濃度が長期間に亘って維持されるため、殺菌水にＰＨ調整のために混入される酸性物質は塩酸が好ましい。
【００２８】
（殺菌水の製造方法について）
以下に、本発明の実施の形態に係る殺菌水の製造方法について説明する。
【００２９】
本実施の形態にかかる殺菌水の製造方法は、図２に示すように、水をＰＨ４以上６未満に酸性化させる第１工程（ステップＳ１）と、第１工程（ステップＳ１）により酸性化された水に対して、濃度５０ｐｐｍ以上７０ｐｐｍ以下となるように次亜塩素酸ナトリウムを混入させる第２工程（ステップＳ２）とを有する。
【００３０】
かかる製造方法により、ＰＨが５以上の酸性で次亜塩素酸ナトリウムの濃度が５０ｐｐｍ以上７０ｐｐｍ以下の殺菌水を製造することができる。
【００３１】
第１工程（Ｓ１）において酸性化される水は水道水の他、地下水、蒸留水等の純水を用いることができる。水には有機物が含まれていないことが好ましい。有機物が含まれている場合には、後述の工程において混入される次亜塩素酸ナトリウムが有機物により分解され、殺菌効果が低下する虞があるからである。
【００３２】
本実施の形態に示す殺菌水の製造方法においては、第１工程（ステップＳ１）において酸性化された水に対して次亜塩素酸ナトリウムを混入させる。この製造方法に対して、第１工程（ステップＳ１）と第２工程（ステップＳ２）を前後入れ替えても、すなわち、水に次亜塩素酸ナトリウムを混入して次亜塩素酸ナトリウムの水溶液を調製した後、この水溶液を酸性化させても同一の殺菌水を製造することができる。
【００３３】
しかしながら、水に次亜塩素酸ナトリウムを混入し濃度５０ｐｐｍ以上７０ｐｐｍ以下の次亜塩素酸ナトリウムの水溶液を調製した場合には、ＰＨが９前後となる。そのため、仮に、水に次亜塩素酸ナトリウムを混入して次亜塩素酸ナトリウムの水溶液を調製した後、この水溶液を酸性化させる工程とすると、酸性化される前の次亜塩素酸ナトリウムの水溶液（ＰＨ９前後）が作業者や周囲に飛散してしまった場合に、人体や製造設備等を傷つけてしまう危険がある。これに対し、本実施の形態のように、水をＰＨ４以上６以下に酸性化させる工程の後、次亜塩素酸ナトリウムの濃度を５０ｐｐｍ以上７０ｐｐｍ以下とする工程を行う場合は、仮に、ＰＨは４以上６以下の酸性化された水が作業者や周囲に飛散したとしても、ＰＨが９前後の次亜塩素酸ナトリウムの水溶液が飛散した場合に比べて、人体や製造設備等に与える損傷を小さくできる。
【００３４】
（殺菌水の製造方法の他の例１）
他の殺菌水の製造方法の例としては、第１工程（ステップＳ１）において、水をＰＨ４．５以上５．５以下に酸性化するようにしてもよい。
【００３５】
このようにして殺菌水を製造する場合には、ＰＨが５．５以上６．５以下、次亜塩素酸ナトリウムの濃度が５０ｐｐｍ以上７０ｐｐｍ以下の殺菌水を製造することができる。また、酸性化された水のＰＨの下限が４よりも高い４．５であるため、酸性化された水が作業者や周囲に飛散した場合の危険性や次亜塩素酸ナトリウムを混入したときの塩素の発生を抑制させ易い。また、水のＰＨの上限が６よりも低い５．５であるため、上限を６．０にした場合に比べて殺菌効果を高く維持できる。
【００３６】
（殺菌水の製造方法の他の例２）
他の殺菌水の製造方法の例としては、第２工程（ステップＳ２）において、次亜塩素酸ナトリウムの濃度を５５ｐｐｍ以上６５ｐｐｍ以下となるように次亜塩素酸ナトリウムを混入するようにしてもよい。
【００３７】
このようにして殺菌水を製造する場合には、ＰＨが５以上７以下、次亜塩素酸ナトリウムの濃度が５５ｐｐｍ以上６５ｐｐｍ以下の殺菌水を製造することができる。また、次亜塩素酸ナトリウムの濃度の上限が７０ｐｐｍよりも低い６５ｐｐｍであるため、次亜塩素酸ナトリウムを混入したときの塩素の発生を抑制させ易い。また。次亜塩素酸ナトリウムの濃度の下限が５０ｐｐｍよりも高い５５ｐｐｍであるため、下限を５０ｐｐｍとした場合に比べて殺菌効果を高く維持できる。
【００３８】
（殺菌水の製造方法の他の例３）
他の殺菌水の製造方法の例としては、第１工程（ステップＳ１）において、水をＰＨ４．５以上５．５以下に酸性化し、第２工程（ステップＳ２）において、次亜塩素酸ナトリウムの濃度を５５ｐｐｍ以上６５ｐｐｍ以下となるように次亜塩素酸ナトリウムを混入するようにしてもよい。
【００３９】
このようにして殺菌水を製造する場合には、ＰＨが５．５以上６．５以下、次亜塩素酸ナトリウムの濃度が５５ｐｐｍ以上６５ｐｐｍ以下の殺菌水を製造することができる。また、ＰＨの下限を４よりも高い４．５とすることで、酸性化された水が作業者や周囲に飛散した場合の危険性や次亜塩素酸ナトリウムを混入したときの塩素の発生を抑制させ易い。また、水のＰＨの上限が６よりも低い５．５であるため、上限を６．０にした場合に比べて殺菌効果を高く維持できる。さらに、次亜塩素酸ナトリウムの濃度の上限が７０ｐｐｍよりも低い６５ｐｐｍであるため、次亜塩素酸ナトリウムを混入したときの塩素の発生を抑制させ易い。また。次亜塩素酸ナトリウムの濃度の下限が５０ｐｐｍよりも高い５５ｐｐｍであるため、下限を５０ｐｐｍとした場合に比べて殺菌効果を高く維持できる。
【００４０】
（殺菌水の製造方法の他の例４）
他の殺菌水の製造方法の例としては、第１工程（ステップＳ１）において、水をＰＨ５以上６以下に酸性化するようにしてもよい。
【００４１】
このようにして殺菌水を製造する場合には、第２工程（ステップＳ２）において次亜塩素酸ナトリウムを混入させた際に塩素ガスの発生を効果的に抑制することができる。ＰＨの下限を４．５よりも高い５とすることで、酸性化された水が作業者や周囲に飛散した場合の危険性や次亜塩素酸ナトリウムを混入したときの塩素の発生を抑制させ易い。また、水のＰＨの上限を６．０とすることで、ＰＨを５．５にする場合に比べて殺菌効果を高く維持できる。
【００４２】
第１工程（ステップＳ１）における水の酸性化は、水に、クエン酸、リンゴ酸、シュウ酸、酢酸、ホウ酸、硫酸、リン酸、塩酸等の種々の酸性物質を混入することで行うことができる。しかしながら、殺菌水を日常生活で使用することを考慮すれば、酸性物質は、食品衛生法で食品添加物として許可されているものが好ましい。次亜塩素酸ナトリウムは有機物と混合されたときに分解が促進される。そのため、殺菌水のＰＨを調整するための酸性物質に有機物を用いると、殺菌効果の経時低下が促進される虞がある。したがって、殺菌水のＰＨの調整には無機物の酸性物質を使用することが好ましい。
【００４３】
図１のグラフに示すように、殺菌水のＰＨ調整に塩酸を混入した場合には、長期間に亘って次亜塩素酸ナトリウムの濃度が維持される。すなわち殺菌力が長期間に亘って維持される。なお、ホウ酸は無機物であるが、図１のグラフに示すように、塩酸に比べて次亜塩素酸ナトリウムの濃度の経時低下が速い。したがって、酸性物質として塩酸を用いた場合には、次亜塩素酸ナトリウムの濃度が長期間に亘って維持されるため、殺菌水のＰＨ調整のために混入する酸性物質は塩酸が好ましい。
【００４４】
（殺菌水調製用原料容器について）
以下に、本発明の実施の形態に係る殺菌水調製用原料容器について説明する。
【００４５】
殺菌水調製用原料容器１は、水に混入させ殺菌水を調製するための殺菌水調製用の原料が封入されたものであり、図３に示すように、第１容器２と第２容器３との２つの容器を有する。第１容器２は、所定量の水に混入されたときに、所定量の水をＰＨ５以上に酸性化させることができる０．７％以上１．５％以下の濃度の塩酸水溶液４が封入されている。第２容器３は、所定量の水に混入されたときに、所定量の水を次亜塩素酸ナトリウム濃度５０ｐｐｍ以上７０ｐｐｍ以下とすることができる１％以上２％以下の濃度の次亜塩素酸ナトリウム水溶液５が封入されている。そして、第１容器２と第２容器３とには、第１容器２に封入された塩酸水溶液４を第２容器３に封入された次亜塩素酸ナトリウム水溶液５よりも先に、所定量の水に混入すべき旨の表示６，７が付されている。
【００４６】
殺菌水調製用原料容器１をこのように構成することで、所定量の水に、塩酸水溶液４と次亜塩素酸ナトリウム水溶液５とを混入させることで、日常生活で安全に使用することができる殺菌水を簡単な作業で調製することができる。つまり、第１容器２の塩酸水溶液４および第２容器３の次亜塩素酸ナトリウム水溶液５は、それぞれ、所定量の水に混入したときに日常生活で安全に使用することができる殺菌水を調製できる量と濃度に調製されているため、第１容器２内の塩酸水溶液４と第２容器３内の次亜塩素酸ナトリウム水溶液５を水に混入させるという簡単な作業で日常生活で安全に使用することができる殺菌水を簡単な作業で調製することができる。
【００４７】
また、第１容器２の塩酸水溶液４の濃度および第２容器３の次亜塩素酸ナトリウム水溶液５の濃度は、それぞれ、直接人体や衣類等に付着しても、速やかに洗浄等の処置を行うことで、直ちに損傷を来すことのない濃度に設定されている。そのため、安全に殺菌水を調製する作業を行うことができる。
【００４８】
また、表示６，７が付されることで、殺菌水を調製する作業において、塩酸水溶液４を水に混入した後、次亜塩素酸ナトリウム水溶液５を混入する作業順を作業者に促すことができる。つまり、所定量の水を酸性化させた後、次亜塩素酸ナトリウム水溶液５を混入することができる。仮に、塩酸水溶液４を所定量の水に混入する前の中性の水に、次亜塩素酸ナトリウム水溶液５を混入し、次亜塩素酸ナトリウム濃度を５０ｐｐｍから７０ｐｐｍとした場合には、水のＰＨは概ね８〜１０前後のアルカリ水となる。このため、次亜塩素酸ナトリウム水溶液５だけが混入された状態のＰＨ８〜９のアルカリ水が作業者や周囲に飛散した場合、人体や製造設備等を損傷させる危険がある。
【００４９】
これに対し、塩酸水溶液４を水に混入することでＰＨを５以上に酸性化された水に、次亜塩素酸ナトリウム水溶液５を混入することで、アルカリ度の高い水が作業者や周囲に飛散する危険性を低減できる。つまり、表示６，７が付されることで、殺菌水を調製する作業において、塩酸水溶液４を水に混入した後、次亜塩素酸ナトリウム水溶液５を混入する作業順を作業者に促すことで、アルカリ度の高い水が作業者や周囲に飛散する危険性を低減できる。
【００５０】
なお、容器２，３は、キャップ８により密閉状態に封止され、殺菌水の調製に際しては、キャップ８を取り、容器２，３内の塩酸水溶液４、および次亜塩素酸ナトリウム水溶液５を所定量の水に混入する作業を行う。
【００５１】
なお、表示６，７は、図３に示された「Ａ」「Ｂ」に限らず、数字（１，２等）、文字「先，後等」であってもよい。
【００５２】
（殺菌水調製用原料容器の他の例１）
他の殺菌水調製用原料容器の例としては、第１容器２には、１％以上１．１％以下の濃度の塩酸水溶液４が３．５ｃｃ以上４．５ｃｃ以下封入され、第２容器３には、１．３％以上１．７％以下の濃度の次亜塩素酸ナトリウム水溶液５が３．５ｃｃ以上４．５ｃｃ以下封入されていることとしてもよい。
【００５３】
このように殺菌水調製用原料容器を構成した場合には、所定量の水として１０００ｃｃの水に塩酸水溶液４と次亜塩素酸ナトリウム水溶液５を混入した場合に、ＰＨ６前後で次亜塩素酸ナトリウムの濃度が６０ｐｐｍ前後の殺菌水を調製することができる。次亜塩素酸ナトリウムの濃度が６０ｐｐｍ前後であることで、日常生活の中で殺菌水を使用するにあたり、細菌やウィルスに対する殺菌力の効果を奏すると共に、殺菌水が人体や衣類等に付着したときの危険性（肌荒れや、衣類・プラスチック製品等の腐蝕等）および塩素ガスの発生の危険性を極力抑えることができる。ＰＨを６前後とすることにより、次亜塩素酸ナトリウムのみの水溶液に比べて殺菌力を強めることができる。また、ＰＨ６前後とすることで、殺菌水が人体や衣類等に付着したときの危険性（肌荒れや、衣類等の腐蝕等）を極力抑えることができる。さらに、ＰＨ６前後とすることで、塩素ガスの発生を抑えることができる。
【００５４】
調製された殺菌水は、１０００ｃｃ＋第１容器２および第２容器３内の殺菌水調製用原料の液量であり、ほぼ１０００ｃｃである。そのため、塩素ガスが発生しても人体や周囲の物を損傷させるに至る発生量ではなく、安全に殺菌水を調製することができる。
【００５５】
（殺菌水調製用原料容器の他の例２）
他の殺菌水調製用原料容器の例としては、第１容器２には、１％以上１．１％以下の濃度の塩酸水溶液４が１．７ｃｃ以上２．３ｃｃ以下封入され、第２容器３には、１．３％以上１．７％以下の濃度の次亜塩素酸ナトリウム水溶液５が１．７ｃｃ以上２．３ｃｃ以下封入されていることとしてもよい。
【００５６】
このように殺菌水調製用原料容器を構成した場合には、所定量の水として５００ｃｃの水に塩酸水溶液４と次亜塩素酸ナトリウム水溶液５を混入した場合に、ＰＨ６前後で次亜塩素酸ナトリウムの濃度が６０ｐｐｍ前後の殺菌水を調製することができる。
【００５７】
調製された殺菌水は、５００ｃｃ＋第１容器２および第２容器３内の殺菌水調製用原料の液量であり、ほぼ５００ｃｃである。そのため、塩素ガスの発生量をより少なく抑えることができる。
【００５８】
（殺菌水調製用原料容器の他の例３）
他の殺菌水調製用原料容器の例としては、第１容器２には、１％以上１．１％以下の濃度の塩酸水溶液４が１．７ｃｃ以上２．３ｃｃ以下封入され、第２容器３には、１．３％以上１．７％以下の濃度の次亜塩素酸ナトリウム水溶液５が１．７ｃｃ以上２．３ｃｃ以下封入されていることとしてもよい。
【００５９】
このように殺菌水調製用原料容器を構成した場合には、所定量の水として３５０ｃｃの水に塩酸水溶液４と次亜塩素酸ナトリウム水溶液５を混入した場合に、ＰＨ６前後で次亜塩素酸ナトリウムの濃度が６０ｐｐｍ前後の殺菌水を調製することができる。
【００６０】
調製された殺菌水は、３５０ｃｃ＋第１容器２および第２容器３内の殺菌水調製用原料の液量であり、ほぼ３５０ｃｃである。そのため、塩素ガスの発生量をより一層少なく抑えることができる。
【００６１】
（殺菌水調製用原料容器の他の例４）
他の殺菌水調製用原料容器の例としては、第１容器２には、１％以上１．１％以下の濃度の塩酸水溶液４が７ｃｃ以上９ｃｃ以下封入され、第２容器３には、１．３％以上１．７％以下の濃度の次亜塩素酸ナトリウム水溶液５が７ｃｃ以上９ｃｃ以下封入されていることとしてもよい。
【００６２】
このように殺菌水調製用原料容器を構成した場合には、所定量の水として２０００ｃｃの水に塩酸水溶液４と次亜塩素酸ナトリウム水溶液５を混入した場合に、ＰＨ６前後で次亜塩素酸ナトリウムの濃度が６０ｐｐｍ前後の殺菌水を調製することができる。
【００６３】
調製された殺菌水は、２０００ｃｃ＋第１容器２および第２容器３内の殺菌水調製用原料の液量であり、ほぼ２０００ｃｃである。そのため、塩素ガスが発生しても人体や周囲の物に大きな損傷を与えるに至る発生量ではなく、安全に殺菌水を調製することができる。
【００６４】
なお、１０００ｃｃ、５００ｃｃ、３５０ｃｃ、２０００ｃｃいずれも、清涼飲料水等の容器として用いられるペットボトルの規格化された容量であるので、殺菌水調製用原料を混入する水の所定量を適宜容量のペットボトルを用いて簡単に計量することができる。
【００６５】
（殺菌水調製用原料容器の他の例５）
図４に示すように、第１容器および第２容器として、収容部付きボトルキャップ１０を用いてもよい。収容部付きボトルキャップ１０は、くび付きボトル１００のくび部１０１の先端に形成される開口部１０２の周囲に形成される螺子部１０３に螺子着することができ、螺子着された状態で収容部１１にくび付きボトル１００内に連通する開口部１２を形成することができる構成を有する。収容部付きボトルキャップ１０を用いる場合には、収容部１１に塩酸水溶液または次亜塩素酸ナトリウム水溶液を収容しておくことで、収容部１１からくび付きボトル１００内に直接、塩酸水溶液および次亜塩素酸ナトリウム水溶液を投入することができる。つまり、予めくび付きボトル１００内に所定量の水を入れておけば、水に塩酸水溶液および次亜塩素酸ナトリウム水溶液を混入する作業を安全に行うことができる。
【００６６】
収容部付きボトルキャップ１０は、周知の構成であるが、たとえば、図４に示されるように、くび付きボトル１００の開口部１０２に挿入する外筒１３を備えた親キャップ１４と、その外筒１３に挿入して収納部となる内筒１５を備えた子キャップ１６と、その内筒１５の下端の開口部１２を封止する底蓋１７とからなり、この底蓋１７の周縁には、内筒１５の下端部を環状凹溝１８に圧入させることができる環状凹部１９が一体に形成されているとともに、この環状凹部１９よりも軟質な材質の内側パッキン２０が、環状凹部１９との同時成形により環状凹溝１８の内面に一体的に設けられており、親キャップ１４をボトルのくび付き部１０１の開口部１０２に被せるとともに、子キャップ１６の雌ねじ２１を親キャップ１４の外筒１３の雄ねじ２２に螺合させることにより、外筒１３の上端開口とともにくび付きボトル１００の開口部１０２を封止でき、また子キャップ１６を親キャップ１４の外筒１３に対し開く方向に回すことにより、底蓋１７が親キャップ１４の外筒１３によって内筒１５から脱落され、内筒１５内の原料（塩酸水溶液４、次亜塩素酸ナトリウム水溶液５）がくび付きボトル１００内に放出される構成となっている。
【００６７】
なお、収容部付きボトルキャップ１０は、たとえば、特開平１０−２７３１６１号、特開２００４−１０６８８８号、特開２００７−６９９５２号、特開２００８−１００７６７号等に開示される構成のものを使用することができる。
【００６８】
図５〜７は、本発明を行うにあたり参考とした実験データである。
【００６９】
図５の上段（Ａ）は、１０００ｃｃの水に、３％濃度の次亜塩素酸ナトリウム水溶液を６ｃｃ混入した後、２．１％濃度の塩酸水溶液を１ｃｃずつ混入させていったときの次亜塩素酸ナトリウムの濃度変化を示す実験データである。図５の中断（Ｂ）は、１０００ｃｃの水に、３％濃度の次亜塩素酸ナトリウム水溶液を２ｃｃ混入した後、２．１％濃度の塩酸水溶液を０．３ｃｃずつ混入させていったときの次亜塩素酸ナトリウムの濃度変化を示す実験データである。図５の下段（Ｃ）は、１０００ｃｃの水に、３％濃度の次亜塩素酸ナトリウム水溶液を１ｃｃ混入した後、２．１％濃度の塩酸水溶液を０．３ｃｃずつ混入させていったときの次亜塩素酸ナトリウムの濃度変化を示す実験データである。
【００７０】
図６は、１０００ｃｃの水に、１．５％濃度の次亜塩素酸ナトリウム水溶液を４ｃｃ混入した後、１．０５％濃度の塩酸水溶液を１ｃｃずつ混入させていったときの次亜塩素酸ナトリウムの濃度変化を示す実験データである。
【００７１】
図７は、所定容量の容器（ペットボトル）内の水に、１．５％の次亜塩素酸ナトリウムと、１．０５％の塩酸水溶液とを混入（投入）し、３秒攪拌後の、ＰＨ、次亜濃度、塩素濃度を調べた実験データである。
【００７２】
図６は、所定量の水に所定濃度の次亜塩素酸ナトリウム水溶液と所定濃度の塩酸水溶液とを混入させたときのＰＨと次亜塩素酸ナトリウム濃度と発生する塩素濃度とを示す実験データであり、本発明を行うにあたり参考としたものである。
【符号の説明】
【００７３】
Ｓ１  …  第１工程
Ｓ２  …  第２工程
２  …  第１容器（殺菌水調製用原料容器）
３  …  第２容器（殺菌水調製用原料容器）
４  …  塩酸水溶液（殺菌水調製用の原料）
５  …  次亜塩素酸ナトリウム水溶液（殺菌水調製用の原料）
６，７  …  表示
１０  …  収容部付きボトルキャップ
１１  …  収容部
１２  …  開口部
１００  …  くび付きボトル
１０１  …  くび部
１０２  …  開口部
１０３  …  螺子部
【図１】
2014050385.tif 000003
【図２】
2014050385.tif 000004
【図３】
2014050385.tif 000005
【図４】
2014050385.tif 000006
【図５】
2014050385.tif 000007
【図６】
2014050385.tif 000008
【図７】
2014050385.tif 000009
【国際調査報告】
2014050385.tif 000010
2014050385.tif 000011
2014050385.tif 000012
2014050385.tif 000013